(57)【特許請求の範囲】
【請求項１】
転写用の箔を支持体上に剥離可能に設けた箔転写用のフイルムを用いて成形時に周縁部に箔が転写される金型成形品において、
周縁部が背面から外側に張り出すように、周縁部と背面との間に表面側に向かって傾斜する斜面であり、転写済みの箔に生じたバリが背面に回り込むことを防止する斜面を備えたことを特徴とする金型成形品。
【請求項２】
斜面の傾きを規定する、背面から周縁部の下端までの高さは、箔の転写位置の位置ズレによって生じるバリのはみ出し量よりも大きくなるように決められることを特徴とする請求項１記載の金型成形品。
【請求項３】
転写済みの箔のバリに対する切断処理が施されることなく金型から取り出されることを特徴とする請求項１又は２記載の金型成形品。
【請求項４】
カメラの外観を構成する部品として使用されることを特徴とする請求項１〜３いずれか記載の金型成形品。
【請求項５】
転写用の箔を支持体上に剥離可能に設けた箔転写用フイルムを用いて、金型によって成形される金型成形品の表面に、成形時に箔を転写する金型成形品の箔転写方法において、
前記金型成形品の周縁部に形成される斜面であり、周縁部が背面から外側に張り出すように、周縁部と背面との間に表面側に向かって傾斜する斜面を形成可能な形状を持つ金型内に、箔転写用フイルムを供給する箔転写用フイルム供給ステップと、
箔転写用フイルムが供給された金型内で、前記斜面を有する前記金型成形品を成形するとともに、前記周縁部を含む表面に箔を転写する箔転写ステップと、
前記箔転写ステップの後、転写済みの箔のバリを切断することなく金型から金型成形品を取り出す取り出しステップとを含むことを特徴とする金型成形品の箔転写方法。
【請求項６】
前記金型成形品は、カメラの外観を構成する部品であることを特徴とする請求項５記載の金型成形品の箔転写方法。
【発明の詳細な説明】
【０００１】
【発明の属する技術分野】
本発明は、箔転写用のフイルムを用いて成形時に箔が転写される金型成形品に関するものである。
【０００２】
【従来の技術】
プラスチック部品は、金属と比較して成形性に優れ、また、軽量かつ低コストであるため、各種の製品に多く使用されている。例えば、カメラも小型軽量化，低価格化が進んでおり、カメラ本体内部の構成部品ばかりでなく、本体を構成する前後カバーや、前カバーの前面に取り付けられるレンズバリアなどにもプラスチック部品が使用されている。そして、外観の装飾性を高めるために、前後カバーやレンズカバーには、色材が塗布されたり文字やマークがプリントされたりというように各種の装飾が施される。
【０００３】
この装飾の１つとして、レンズカバーに金属箔を貼り付けることが行われている。金属箔は光沢があるので、これをレンズカバーに貼り付けることにより、高級感が増し、外観の装飾度が高められるという効果がある。
【０００４】
プラスチック部品は、一般的に射出成形法などにより金型成形されるが、この金型成形されたプラスチック部品（金型成形品）に金属箔を貼り付ける方法として、例えば、特開平７−２３９４０２号公報に記載されている箔転写方法がある。この方法は、図８に示すように、支持体上に箔片２６，２７が設けられた箔転写フイルム３８を金型内に挿入し、金型成形品，例えば、レンズバリア１２を成形する際に箔片２６，２７を転写する方法である。
【０００５】
レンズバリア１２は、表面２１の中央部には、指掛け用の窪み２１ａが形成されている。箔片２６は窪みに転写され、他方、箔片２７は、レンズバリア１２の表面１２の端から周縁部２２にかけて転写される。レンズバリア１２が前カバーに取り付けられると、背面２３が前カバーと対面する。しかも、これらの隙間は非常に狭いため、背面２３は外から見えなくなる。このため、背面２３には、箔片が転写されない。
【０００６】
【発明が解決しようとする課題】
しかしながら、図９に示すように、箔片２７の転写位置がズレると、周縁部２２から、箔片２７の端部２７ａがはみ出していわゆるバリが生じてしまう。レンズバリア１２は前カバーにスライド自在に設けられるので、バリが生じると、カメラボディにキズを付けて、著しく外観を損ねてしまいかねない。また、レンズバリア１２をスライドさせているうちに、図上２点鎖線で示すように、バリが背面２３に回りこんでしまい、動作不良を引き起こすおそれもある。
【０００７】
もちろん、転写位置の最大誤差を考慮して、予め箔片２７を短めに形成し、位置ズレが生じた場合でもバリが生じないようにすることはできる。しかし、こうすると、周縁部２２に箔片２７の欠損部分が生じてしまうことになる。周縁部２２は外部に露呈されるので、その一部に欠損部分が生じると外観の装飾度が低下し、箔片２７を設けた目的が損なわれてしまう。
【０００８】
前述した課題を解決するために、本発明は、安定動作が可能な金型成形品を提供することを目的とする。
【０００９】
また、別の目的は、外観を構成する部品として使用された場合でも、外観の装飾度を低下させることのない金型成形品を提供することである。
【００１０】
【課題を解決するための手段】
前記目的を達成するために、本発明の金型成形品は、箔転写用のフイルムを用いて成形時に周縁部に箔が転写される金型成形品において、前記周縁部が背面から外側に張り出すように、周縁部と背面との間に表面側に向かって傾斜する斜面を設けたことを特徴とする。この金型成形品は、例えば、カメラのレンズバリアなど、各種の製品の外観を構成する部品として使用されることが好ましい。
【００１１】
【発明の実施の形態】
図１及び図２に示すカメラ１０は、本体１１の前面にレンズバリア１２が設けられている。本体１１を構成する前後カバー１１ａ，１１ｂ及びレンズバリア１２は、金型成形品である。これにより、カメラ１０の低コスト化、軽量化を図っている。
【００１２】
レンズバリア１２は、撮影レンズ１３を保護するためのもので、使用時に撮影レンズ１３を露呈する開き位置（図１）と、不使用時に撮影レンズ１３を覆う閉じ位置（図２）との間でスライド自在に設けられている。レンズバリア１２と鏡筒１４とは連動するようになっており、レンズバリア１２を開き位置に移動すると、撮影レンズ１３が組み込まれた鏡筒１４が本体１１から繰り出され、レンズバリア１２を閉じ位置に移動すると、鏡筒１４が本体１１内に沈胴する。
【００１３】
図２に示すように、レンズバリア１２には、金属製の箔片２６，２７が、後述する転写方法により、それぞれ転写される。レンズバリア１２は、楕円形状をしており、表面２１が緩やかな曲面となっている。表面の中央部には指かけ用の窪み２１ａが形成されている。ユーザーはこの窪み２１ａに指をかけてレンズバリア１２をスライドさせる。箔片２６は、この窪み２１ａに転写される。
【００１４】
また、レンズバリア１２の周囲には、箔片２７が転写される。この箔片２７は、レンズバリア１２の外形に対応した形状を持ち、その中央は、レンズバリア１２の中央部を露呈する開口となっている。箔片２７は、表面２１の端から周縁部２２にかけて転写される。各箔片２６及び２７を設けることで、高級感が増してカメラ１０の外観の装飾度が高められている。
【００１５】
図３に示すように、周縁部２２と背面２３との間には、周縁部２２が背面２３から外側に張り出すように、表面２１側に向けて傾斜した斜面２４が設けられている。
【００１６】
背面２３から周縁部２２の下端までの高さｈは、箔片２７の転写位置の位置ズレの最大誤差を考慮して決められる。すなわち、箔片２７の転写位置がズレると、箔片２７の端部２７ａが周縁部２２の下端からはみ出していわゆるバリが生じる。高さｈは、位置ズレが最大誤差の範囲内で生じたときのバリのはみ出し量よりも大きくなるように決められる。そして、斜面２４の傾きは、この高さｈに応じて決まる。
【００１７】
こうすることで、箔片２７の転写位置のズレによってバリが生じた場合でも、バリが背面２３よりも突き出ることはないので、バリによって前カバー１１ａが傷付けられることがなくなる。
【００１８】
また、周縁部２２と背面２３との間に斜面２４を設けたことで、バリが内側に折れ曲がった場合でも、背面２３にまで回りこんでしまうようなことはない。これにより、バリが背面２３と前カバー１１ａとの隙間に入り込んで、レンズバリア１２の動作不良を引き起こすことはない。
【００１９】
また、斜面２４は、表面２１側からは見えにくいので、この斜面２４を設けたことにより、外観の装飾度を損ねることはない。この例の周縁部２２は、レンズバリアの側面と同義であるが、表面と側面とが同一面となっているような場合には、周縁部は、表面の周囲を指示する。
【００２０】
レンズバリア１２は、樹脂材料を射出成形して製造される金型成形品である。図５は、製造の手順を示した説明図である。射出成形用金型３１は、可動金型３２と固定金型３３からなる。可動金型３２は、図示しないジャッキアップ機構により、成型時に固定金型３３方向に下降し、端部３２ａ，３２ｂが固定金型３３に圧着される。
【００２１】
固定金型３３は、中央部にレンズバリア１２の形成素材である透明樹脂を熱溶融した樹脂３６が注入される湯口３３ａが設けられている。この湯口３３ａは、樹脂３６の図示せぬ供給機構に接続されており、熱溶融した樹脂３６が断続的に供給される。また、固定金型３３の内面には、斜面２４を形成するための溝３３ｂが設けられている。
【００２２】
また、これら可動金型３２と固定金型３３との間には、ドナーロール３７から引き出された箔転写フイルム３８が連続的に供給、セットされる。図５（Ｃ）に示すように、レンズバリア１２の表面２１及び周縁部２２に、各箔片２６，２７が転写された後、箔転写フイルム３８がドナーロール４７に巻き上げられる。
【００２３】
図６に示すように、箔転写フイルム３８は、支持体４１上に各箔片２６，２７を剥離可能に設けたものである。各箔片２６，２７には、レンズバリア１２に接着するための接着層４２が層設されている。この接着層４２が熱溶融して各箔片２６，２７がレンズバリア１２に転写される。
【００２４】
図７に示すように、長尺の箔転写フイルム３８上には、複数のエリア３９に区画されており、各エリア３９内には、各箔片２６，２７がレンズバリア１２の転写位置と対応する位置に配置されている。ドナーロール３７は、この長尺の箔転写フイルム３８をロール状に巻いたものである。
【００２５】
また、各エリア３９の脇には、マーク４０が設けられている。このマーク４０は、箔転写フイルム３８の送り量を制御するためのもので、例えば、光学的に読み取り可能な光学マークが使用される。このマーク４０をフォトセンサなどで読み取ることにより、供給量が制御される。マーク４０としては光学マークの他に磁気マークを使用してもよい。この場合には、箔転写フイルム３８に磁気層が必要になる。
【００２６】
もちろん、ドナーロール３７を駆動する駆動モータの回転量を制御することにより箔転写フイルム３８の送り量を制御してもよい。しかし、マーク４０を使用することにより、駆動モータによる制御と比較して精度の高い送り量の制御を行うことができる。
【００２７】
次に、上記構成による作用を説明する。レンズバリア１２を製造する際には、図５（Ａ）のように、可動金型３２と固定金型３３との間に、箔転写フイルム３８がセットされる。この時、箔転写フイルム２８は、箔片２６がレンズバリア１２の窪み２１に、箔片２７がレンズバリア１２の表面２１及び周縁部２２に、それぞれ対応する位置に保持される。
【００２８】
次に、図５（Ｂ）のように、可動金型３２が下降し、端部３２ａ，３２ｂが固定金型３３に圧着され、箔転写フイルム３８が可動金型３２と固定金型３３との間で挟持される。そして、湯口３３ａから溶融した樹脂３６が射出される。すると、樹脂３６が可動金型３２と固定金型３３とで形成される成型空間いっぱいに充填される。そして、それと同時に可動金型３２と固定金型３３の間で狭持されていた箔転写フイルム３８が、樹脂３６の射出圧力により樹脂３６とともに可動金型３２に押し付けられる。
【００２９】
この時、溶融した樹脂３６の熱により接着層４２が熱溶融し、箔転写フイルム３８の各箔片２６，２７が、成形されたレンズバリア１２に熱転写される。そして、一定時間経過後、溶融した樹脂３６が固化すると、図５（Ｃ）のように、可動金型３２が上昇し、それと同時に、転写された箔２６，２７をレンズバリア１２に残して、レンズバリア１２から箔転写フイルム３８が引き剥がされる。その後、レンズバリア１２は、固定金型３３から取り出される。
【００３０】
この後、ドナーロール３７が巻き上げられて、新たな箔転写フイルム３８が所定位置にセットされ、再び上述したような工程により、連続してレンズバリア１２が製造される。
【００３１】
製造されたレンズバリア１２は、カメラ１０の組み立て工程に送られる。レンズバリア１２には、周縁部２２と背面２３との間に斜面２４が設けられている。したがって、箔片２７の転写位置がズレにより、射出成形時にバリが生じていたとしても、前カバー１１ａを傷付けてしまうことはない。また、前カバー１１ａと背面２４との隙間に入り込んでしまうこともないので、レンズバリア１２が安定して動作することができる。
【００３２】
なお、上述した例では、レンズバリアを製造する工程の例を示したが、本発明の金型成形品は、各種のプラスチック部品に使用することができる。また、金型成形としては、射出成形以外に、圧空成形、コンプレッション成形等でも、同様に実施可能である。
【００３３】
【発明の効果】
以上詳細に説明したように、本発明の金型成形品は、周縁部に箔が転写される金型成形品において、周縁部が外側に張り出すように、周縁部と背面との間に表面に向けて傾斜する斜面を設けたから、この金型成形品が製品の外観を構成する部品として使用された場合でも、外観の装飾度を低下させることはない。また、斜面を設けたことで、バリが折れ曲がったとしても、金型成形品の背面にまで回り込んでしまうことがないので、背面が他の部品と対面するように設けられた場合でも、安定して動作させることができる。
【図面の簡単な説明】
【図１】レンズバリア付きのカメラの使用状態を示す外観斜視図である。
【図２】レンズバリア付きのカメラの不使用状態を示す外観斜視図である。
【図３】レンズバリアに貼り付けられる箔片の説明図である。
【図４】レンズバリアの断面図である。
【図５】レンズバリアの製造の手順を示す説明図である。
【図６】箔転写フイルムの断面図である。
【図７】箔転写フイルムの説明図である。
【図８】箔転写方法を示す説明図である。
【図９】従来のレンズバリアの断面図である。
【符号の説明】
１２  レンズバリア
２１  表面
２２  周縁部
２３  背面
２６，２７  箔片
３８  箔転写フイルム
【図１】
0004274511.tif 000002
【図２】
0004274511.tif 000003
【図３】
0004274511.tif 000004
【図４】
0004274511.tif 000005
【図５】
0004274511.tif 000006
【図６】
0004274511.tif 000007
【図７】
0004274511.tif 000008
【図８】
0004274511.tif 000009
【図９】
0004274511.tif 000010